(57)【要約】      （修正有）【課題】フルートの演奏時の音量を弱めること及び強めることの一方又は双方を実現するフルート属の音量調整器を提供する。【解決手段】フルート属の吹き口を部分的に被覆可能な息吹き込み量制御部６と、フルート属の演奏時に演奏者の吹き込む息が当たる壁部７と、フルート属の演奏時に演奏者の吹き込む息が通過する流路部８と、を有する音量調整部５を備える。息吹き込み量制御部で吹き口を被覆しないようにすることにより、音量を強めることができる。音量調整器は、フルート属のリッププレートに着脱可能に取り付けられる。【選択図】図２
0003229586.tif 000002
【実用新案登録請求の範囲】
【請求項１】
フルート属の音量調整器であって、
フルート属のリッププレートに着脱可能に取り付けられ、
取り付け時にフルート属の吹き口に息を吹き込むことを可能とする開口部と、
フルート属の吹き口を部分的に被覆可能な息吹き込み量制御部と、
フルート属の演奏時に演奏者の吹き込む息が当たる壁部と、
フルート属の演奏時に演奏者の吹き込む息が通過する流路部と、
を有する音量調整部を備える
ことを特徴とする、フルート属の音量調整器。
【請求項２】
前記音量調整部のリッププレートへの取り付け位置を変えることにより音量の調整を行う請求項１に記載のフルート属の音量調整器。
【請求項３】
前記息吹き込み量制御部は、フルート属の吹き口を覆わないように取り付け可能である請求項２に記載のフルート属の音量調整器。
【請求項４】
前記音量調整部を２か所又はそれ以上備え、それぞれの音量調整部の息吹き込み量制御部は、フルート属の吹き口を覆う面積を、異なるように調整するものである請求項１〜３のいずれか一項に記載のフルート属の音量調整器。
【請求項５】
フルート属の音量調整器であって、
フルート属のリッププレートに着脱可能に取り付けられ、
フルート属の演奏時に演奏者の吹き込む息が当たる壁部と、
フルート属の演奏時に演奏者の吹き込む息が通過する流路と、
を有する音量調整部を備える
ことを特徴とする、フルート属の音量調整器。
【請求項６】
前記フルート属の音量調整器をフルート属のリッププレートに取り付けた状態を保持するための保持手段を有する請求項１〜５のいずれか一項に記載のフルート属の音量調整器。
【考案の詳細な説明】
【技術分野】
【０００１】
本考案は、フルート属（フルート、アルトフルート、バスフルート、ピッコロ等を含む。本明細書においては「フルート属」又は単に「フルート」という。）の音量調整器に関するものである。
【背景技術】
【０００２】
楽器は、音楽ホールのような広い演奏会場だけでなく様々な場所で演奏されるが、例えば、一般的な住宅で練習のために演奏する時は防音設備が整っていない場合もあり、大きな音量で演奏することが難しい。そのため、多くの楽器には、楽器の音を弱めるための装置や器具（弱音器、消音器、ミュート）が存在する。
【０００３】
例えば管楽器でも、フルートのような木管楽器ではなく、金管楽器（サックスなど）の場合は、吹き口とは逆の先端から音が出てくるので、ここに音を塞ぐ器具を取り付けることによって演奏時の弱音化を図ることが可能である。サックスに関する特許文献１の弱音器などがこの例である。
【０００４】
これに対し、フルートの場合は先端だけでなく吹き口からも音が出るので、先端だけ塞いでも十分に弱音化されず、しかも音程を取りづらくなってしまう。そのため、上記のような金管楽器で用いられる弱音化の装置や器具をフルートに適用することはできない。
【０００５】
また、フルートは、演奏時に息を吹き口からフルートの内部に吹き込むだけではなく、息の一部を外側に（リッププレートの上面を通るようにして）逃すことで発音する構造である。そのため、音程を保ちながら弱音化させるように構成することが難しく、フルートを弱音化するための有効な手段は存しなかった。
【０００６】
一方、演奏会場などでフルートを演奏する場合においては、上記とは反対に、音を強め、音量をより大きくしたいとの要望も存する。すなわち、フルートの音量は他の楽器に比べると小さいため、音楽ホールのような広い演奏会場で演奏する際においては、音量を大きくできることが望まれることもある。
【０００７】
この点については、図８に示すように、吹き口の近くに突起状の部位（６０）を設けることにより、音量を大きくするフルートが存する。しかし、このフルートにおいては、標準の音量による演奏が必ずしも容易でなくなるとの問題が存する。
【先行技術文献】
【特許文献】
【０００８】
【特許文献１】特許第５６８９５５９号
【考案の概要】
【考案が解決しようとする課題】
【０００９】
本考案は以上の問題に鑑みてなされたものであり、フルートの演奏時の音を弱めること及び強めることの一方又は双方を実現するフルート属の音量調整器を提供することを課題とする。
【課題を解決するための手段】
【００１０】
上記課題を解決するため、第１の側面として、本考案は、
フルート属の音量調整器であって、
フルート属のリッププレートに着脱可能に取り付けられ、
取り付け時にフルート属の吹き口に息を吹き込むことを可能とする開口部と、
フルート属の吹き口を部分的に被覆可能な息吹き込み量制御部と、
フルート属の演奏時に演奏者の吹き込む息が当たる壁部と、
フルート属の演奏時に演奏者の吹き込む息が通過する流路部と、
を有する音量調整部を備える
ことを特徴とする、フルート属の音量調整器
を提供するものである。
第２の側面として、本考案は、
前記音量調整部のリッププレートへの取り付け位置を変えることにより音量の調整を行う上述のフルート属の音量調整器
を提供するものである。
第３の側面として、本考案は、前記息吹き込み量制御部は、フルート属の吹き口を覆わないように取り付け可能である上述のフルート属の音量調整器
を提供するものである。
第４の側面として、本考案は、
前記音量調整部を２か所又はそれ以上備え、それぞれの音量調整部の息吹き込み量制御部は、フルート属の吹き口を覆う面積を、異なるように調整するものである上述のフルート属の音量調整器
を提供するものである。
第５の側面として、本考案は、
フルート属の音量調整器であって、
フルート属のリッププレートに着脱可能に取り付けられ、
フルート属の演奏時に演奏者の吹き込む息が当たる壁部と、
フルート属の演奏時に演奏者の吹き込む息が通過する流路と、
を有する音量調整部を備える
ことを特徴とする、フルート属の音量調整器を提供するものである。
第６の側面として、本考案は、
前記フルート属の音量調整器をフルート属のリッププレートに取り付けた状態を保持するための保持手段を有する上述のフルート属の音量調整器
を提供するものである。
【考案の効果】
【００１１】
本考案によれば、通常のフルートにおいて、演奏時の音量を弱めること及び強めることの一方又は双方が可能となる。
【図面の簡単な説明】
【００１２】
【図１】一般的なフルートの頭部管を示す図である。図１（Ａ）（Ｂ）は、一つの頭部管を別の角度から示している。
【図２】本考案の一実施例を示す図であり、弱音化を図る器具の例である。
【図３】本考案の一実施例に係る音量調整器の取り付けを説明する図であり、図３（Ａ）はリッププレートに取り付ける前の状態を示し、図３（Ｂ）はリッププレートに取り付けた状態を示す。保持手段として螺子留め式のものが示されている。
【図４】本考案の一実施例に係る音量調整器において音量の調整を説明する図であり、図４（Ａ）は音量を小さくする場合の一状態を示し、図４（Ｂ）は音量を最小とする場合の取り付け状態を示す。保持手段として螺子留め式のものが示されている。
【図５】本考案の他の実施例を示す図であり、強音化を図る器具の例である。
【図６】本考案の他の実施例に係る音量調整器において音量の調整を説明する図であり、図６（Ａ）は音量を最大とする場合を示し、図６（Ｂ）は音量を大きくする場合の一状態を示す。保持手段として螺子留め式のものが示されている。
【図７】本考案の更に他の実施例を示す図であり、強音化及び弱音化の双方を図る器具の例である。保持手段として螺子留め式のものが示されている。
【図８】音量が大きくなるフルートの従来例を示す図である。
【考案を実施するための形態】
【００１３】
以下、本考案のフルート属の音量調整器を図面に基づいて具体的に説明する。図面は、便宜上実際の物と異なる縮尺で示している。
【００１４】
本明細書記載の実施形態は一例に過ぎず、本考案はこれのみに限定されるものではない。
【００１５】
フルートは、基本的に頭部管と胴部管と足部管から構成される。図１に示されるように、頭部管（１）にはリッププレート（２）が設けられ、リッププレートに設けられた吹き口（３）に息を吹きつける。息が吹き口のエッジに当たりフルート内に吹き込まれて発音する。また、吹き口のエッジに当たった息の一部がフルートの外側に流れて発音する。標準的なフルートの吹き口は横約１２ｍｍ、縦約１０．２ｍｍである。
【００１６】
本考案は、この吹き口に所定の構造を有する器具を取り付けることにより、音量を調整する。具体的には、弱音化については、吹き口の面積を狭めることで、吹き口からフルート内に吹き込まれる息の量を制限することにより音量を減少させる。また、吹き口の上部に壁が設けられることにより、吹き付けられる息を拡散させずに集めると共に、集められた息が通過する流路を設けることで、フルートの外側に逃す息の量を確保し、それによる発音（主に高音）を安定させる。
【００１７】
また、強音化については、吹き口の上部又は吹き口のエッジ付近に壁が設けられることにより、吹き付けられてフルート内に入り込む息の量を確保し、音量を増大させる。また、この壁が設けられることにより息が集められ、かつ、息をフルートの外側に適切に逃すように構成することで、それによる発音（主に高音）を安定させる。
【００１８】
（実施例１）
図２（Ａ）に、本考案のフルート属の音量調整器の一例を示す。図２の音量調整器（４）は、音量を弱めるための構成を有するものである。
【００１９】
この音量調整器（４）は、音量調整部（５）を備える。音量調整部（５）は、吹き口に息を吹き込むことを可能とする開口部（３０）と、吹き口を部分的に覆う息吹き込み量制御部（６）と、演奏時に演奏者の吹き込む息が当たる壁部（７）と、演奏時に演奏者の吹き込む息が通過する流路部（８）とを有する。本実施例において、息吹き込み量制御部と壁部と流路部は連続している。本実施例の壁部は、音量調整器の厚みを利用している（音量調整器の厚みにより壁部が形成されている）。壁部はこの厚み以上の高さを持たせるように形成することも考えられる。流路部は、演奏時に演奏者の吹き込む息のうちの一部を流すためのものである。形状は種々考えられるが、例えばなだらかな斜面状とすることができる。
【００２０】
このような音量調整器を、図２（Ｂ）に示されるように、頭部管（１）の端から差し込むようにしてリッププレート（２）に取り付ける。図２（Ｂ）に示されるように、吹き口（図１（Ｂ）の符号３で示される箇所に相当する箇所）は、息吹き込み量制御部（６）によって部分的に覆われるとともに、開口部（３０）から息が吹き込まれるものとなる。すなわち、息吹き込み量制御部は吹き口を部分的に覆うものである一方、音量調整器は、リッププレートに取り付けて使用されるときに吹き口を覆わない開口部（３０）を有する。これにより、吹き口に吹き込まれる息の量が減少するため、所望の音程を保ちつつ音量が減少する。演奏者により吹き込まれた息は、音量調整部（５）の壁部（７）に当たり、吹き口（３）からフルート内に流入すると共に、その一部が流路部（８）を通じてフルートの外に流れる。これにより、吹き口（３）の面積が狭められた状態においても、フルートの外側に逃れる息の量が確保され、高音も適切に発音される。
【００２１】
図３に、別の音量調整器（１４）を示す。図３（Ａ）は、音量調整器（１４）がフルートに取り付けられる前の状態を示し、図３（Ｂ）は、取り付けられた状態を示す。なお、図３においては、後述の保持手段として、螺子留め式のものが（図に向かって音量調整器（１４）の上部に）示されている。
【００２２】
音量調整器は、取り付け位置をずらすことにより、吹き口を覆う面積の広さを調整し、音量を調整することができる。より具体的には、音量調整部のリッププレートないしフルート属の吹き口への取り付け位置を変えることにより音量の調整を行う。例えば、図４に示されるように、音量調整器（１４）をフルートの円周方向に回転させて、音量を調整する。一例として、図４（Ｂ）に示される状態は、図４（Ａ）に示される状態よりも、流路部（１８）が吹き口（３）の近くに配置され、息吹き込み量制御部（１６）が吹き口（３）を覆う面積が多くなっており、音量をより小さくできる状態である。音量の状態は図４の例に限られるものではなく、ユーザーが本音量調整器（１４）の位置を適宜ずらして微調整することにより、所望の音量に設定することができる。
【００２３】
音量調整器は、所望の位置でフルートに取り付けられた状態が保持されることが好ましい。そのため、音量調整器は保持手段を有するように構成されるのが好適である。
【００２４】
保持手段は、一例として、音量調整器のサイズと素材の性質などを利用したもの、例えば素材を樹脂製（例えばプラスチック）とし、図２や図５に示されるように、音量調整器本体の長手方向に切断スリット（図２の符号９、図５の符号２９）を設け、本体の弾性により音量調整器がリッププレートに着脱可能に保持されるように構成することができる。この場合、フルート（リッププレートないし吹き口）に対する音量調整器の取り付け位置を微調整するのがより容易となる。
【００２５】
また、保持手段は、例えば図３（Ｂ）、図７などに示されるように螺子留め式とすることができる。この例では上記同様に切断スリットが設けられており（図７の符号４９）、この部分を利用して螺子（雄螺子）（１０）により締め付けたり緩めたりする構成である（音量調整器側に雌螺子が設けられている）。この場合、螺子を締め付けることにより音量調整器がフルートに固定される。そして、螺子の締め付けを緩めることにより音量調整器のフルートに対する固定が緩められる。そのため、音量調整器をフルートに対しゆとりある状態で動かせるように構成することができる。この場合も音量調整器は樹脂等（これに限定されない）を素材とすることができる。
【００２６】
（実施例２）
図５に、本考案のフルート属の音量調整器の一例として、音量を増大させる場合の構成を示す。
【００２７】
この音量調整器（２４）は、音量調整部（２５）を備える。音量を増大させる場合の音量調整部は、少なくとも、演奏時に演奏者の吹き込む息が当たる壁部と、演奏時に演奏者の吹き込む息が通過する流路とを有する。
【００２８】
すなわち、（Ｉ）最も音量を大きくする場合は、図５（Ｂ）、図６（Ａ）を参照し、壁部（２７）と流路（３８）で構成されるものとなる。一方、（ＩＩ）これよりも抑えた音量で発音する場合（しかし音量調整器を取り付けない通常の状態よりは発音量が大きくなる場合）は、図６（Ｂ）を参照し、壁部（２７）と、開口部（３８）と、流路部（２８）と、吹き口を部分的に覆う息吹き込み量制御部（２６）とで構成されるものとなる。なお、音量調整器の取り付け位置をずらすことにより、上記（ＩＩ）の開口部（図６（Ｂ）の符号３８）が上記（Ｉ）における流路（図６（Ａ）の符号３８）となる。
【００２９】
かかる音量調整器（２４）は、実施例１で説明したのと同様に、頭部管のリッププレート（２）に取り付けられる。
【００３０】
まず、上記（Ｉ）の場合、音量調整器は吹き口を覆わない（図６（Ａ）参照。音量調整器（３４）は吹き口（３）を覆わない。）。発音量を最大にする場合の音量調整器は、息吹き込み量制御部を用いない構造となる。一方、この場合は、図６（Ａ）に示されるように、吹き口（３）の上部又は吹き口のエッジ付近に壁部（２７）が設けられる。よって、吹き付けられる息がフルート内に確実に入り込み、音量を増大させる。本実施例の壁部は、音量調整器の厚みを利用している（音量調整器の厚みにより壁部が形成されている）。壁部はこの厚み以上の高さを持たせるように形成することも考えられる。また、この壁部（２７）が設けられることにより息が集められる。そして、流路（３８）が設けられることで、発音が確保され、主に高音の発音が安定して得られる。
【００３１】
次に、上記（ＩＩ）の場合、図６（Ｂ）に示されるように、壁部（２７）のほか、流路部（２８）と、吹き口（３）を部分的に覆う息吹き込み量制御部（２６）と、開口部（３８）を有するものとなる。
【００３２】
ここでの息吹き込み量制御部（２６）は、実施例１（弱音化）における息吹き込み量制御部よりも、吹き口（３）の横方向において覆う面積がより少なくなるように構成される。これにより、実施例１の場合よりも少ない範囲で吹き口（３）を覆うものとなる。弱音化、強音化とも、音量の調整は、吹き口を覆う面積により決められる。換言すれば、音量の調整は、吹き口の横方向（横幅）と、吹き口の縦方向とにおいて、吹き口の面積をどの程度覆うかにより決定される。
【００３３】
強音を発音させる場合においても、音量調整器は、フルート（リッププレートないし吹き口）への取り付け位置をずらすことにより、発せられる音量の程度を調整することができる。具体的には、図６に示されるように、音量調整器（３４）をフルートの円周方向に回転させることで音量を調整する。既に述べたとおり、図６（Ａ）に示される状態は、最も音量を大きくする状態であり、図６（Ｂ）に示される状態は、これよりも音量が抑えられた状態（しかし音量調整器を取り付けない通常の状態よりは発音量が大きくなる状態）の一例である。音量の状態は図６の例に限られるものではなく、ユーザーが本音量調整器の位置を適宜ずらして微調整することにより、所望の音量に設定することができる。
【００３４】
強音化させる場合においても、音量調整器は、前述と同様の保持手段を有するものとすることができる。
【００３５】
（実施例３）
本考案は、一つの器具で弱音化及び強音化の両方を実現できるように構成することもできる。かかる音量調整器の一例が図７に示されている。図７（Ａ）〜（Ｆ）は同じ音量調整器（４４）を異なる角度から示したものである。
【００３６】
この音量調整器（４４）は、これまで説明してきた弱音化を図る構成（４５）（図２の符号５の部分に相当）と強音化を図る構成（５５）（図５の符号２５の部分に相当）を備えるものである。弱音化のための音量調整部（４５）と強音化のための音量調整部（５５）が、大開口部４１の両側に配置される。ユーザーが音量調整器（４４）をフルートの円周方向に回転させ、弱音化のための音量調整部（４５）又は強音化のための音量調整部（５５）を吹き口に適用して使用する。
【００３７】
なお、本明細書に開示の構成は適宜変更することが可能である。
【産業上の利用可能性】
【００３８】
本考案によれば、これまで困難とされていたフルートの弱音化が可能となる。
【００３９】
のみならず、反対に、強音化を図ることも可能となる。
【００４０】
さらに、一つの器具において弱音化と強音化の両方に対応するように構成することも可能である。
【００４１】
そして、弱音化や強音化のための加工をフルート自体に施すことなく、各自が所持しているフルートや通常のフルートに本考案の器具を着脱可能に取り付けることにより弱音化及び／又は強音化を容易に実現することができる。また、着脱可能であるので、弱音化や強音化が不要な場合は取り外して通常のフルートとして演奏することができる。
【００４２】
従って、本考案の産業上の利用可能性は極めて高い。
【符号の説明】
【００４３】
１  頭部管
２  リッププレート
３  吹き口
４、１４、２４、３４  音量調整器
５、２５、４５、５５  音量調整部
６、１６、２６  息吹き込み量制御部
７、２７  壁部
８、１８、２８  流路部
１０  螺子（雄螺子）
９、２９  切断スリット
３８  開口部、流路
４１  大開口部
６０  突起状の部位
【図１】
0003229586.tif 000003
【図２】
0003229586.tif 000004
【図３】
0003229586.tif 000005
【図４】
0003229586.tif 000006
【図５】
0003229586.tif 000007
【図６】
0003229586.tif 000008
【図７】
0003229586.tif 000009
【図８】
0003229586.tif 000010
【手続補正書】
【提出日】令和2年9月24日(2020.9.24)
【手続補正１】
【補正対象書類名】実用新案登録請求の範囲
【補正対象項目名】全文
【補正方法】変更
【補正の内容】
【実用新案登録請求の範囲】
【請求項１】
フルート属の音量調整器であって、
フルート属のリッププレートに着脱可能に取り付けられ、
取り付け時にフルート属の吹き口に息を吹き込むことを可能とする開口部と、
前記開口部に隣接して設けられる息吹き込み量制御部であって、フルート属の吹き口を部分的に被覆可能な息吹き込み量制御部と、
前記開口部に隣接し、前記息吹き込み量制御部と連続するようにして設けられる壁部であって、フルート属の演奏時に演奏者の吹き込む息が当たる壁部と、
前記開口部に隣接して設けられる流路部であって、フルート属の演奏時に演奏者の吹き込む息が通過する流路部と、
を有する音量調整部を備える
ことを特徴とする、フルート属の音量調整器。
【請求項２】
前記音量調整部のリッププレートへの取り付け位置を変えることにより音量の調整を行う請求項１に記載のフルート属の音量調整器。
【請求項３】
前記息吹き込み量制御部は、フルート属の吹き口を覆わないように取り付け可能である請求項２に記載のフルート属の音量調整器。
【請求項４】
前記音量調整部を２か所又はそれ以上備え、それぞれの音量調整部の息吹き込み量制御部は、フルート属の吹き口を覆う面積を、異なるように調整するものである請求項１〜３のいずれか一項に記載のフルート属の音量調整器。
【請求項５】
フルート属の音量調整器であって、
フルート属のリッププレートに着脱可能に取り付けられ、
フルート属の演奏時に演奏者の吹き込む息が当たる壁部と、
前記壁部に隣接して設けられる流路であって、フルート属の演奏時に演奏者の吹き込む息が通過する流路と、
を有する音量調整部を備える
ことを特徴とする、フルート属の音量調整器。
【請求項６】
前記フルート属の音量調整器をフルート属のリッププレートに取り付けた状態を保持するための保持手段であって、前記音量調整器の本体の長手方向に設けられた切断スリット、又は、該切断スリットとこれに隣接して設けられた螺子により構成される保持手段を有する請求項１〜５のいずれか一項に記載のフルート属の音量調整器。